(57)【要約】【課題】  床面と外部開口部との間に段差がないバリアフリー化を実現しつつ、土、砂埃等が室内に侵入するおそれがなく、容易に水洗いが可能な引き戸の支持構造を提供する。【解決手段】  上面が開放された凹状をなすとともに、上部開放面が室内側の床面１０よりも下方に位置する下側支持枠２０を設ける。下側支持枠２０の内部には、引き戸（例えばアルミ枠引き戸４０）を下側から支持するとともに、引き戸の移動に伴って回転する回転支持部材８０が、外部開口部の長さ方向に沿って複数配設される。下側支持枠２０の上部開放面には、上部開放面に着脱可能であるとともに、上部開放面を塞いで室内側の床面１０と略同一高さとする覆い板材１００を設ける。【選択図】  図１
2006002367.tif 000002
【特許請求の範囲】
【請求項１】
建造物の外部開口部に取り付ける引き戸の支持構造であって、
上面が開放された凹状をなすとともに、上部開放面が室内側の床面よりも下方に位置する下側支持枠を設け、
該下側支持枠の内部には、引き戸を下側から支持するとともに、引き戸の移動に伴って回転する回転支持部材が、前記外部開口部の長さ方向に沿って複数配設され、
前記下側支持枠の上部開放面には、該上部開放面に着脱可能であるとともに、該上部開放面を塞いで前記室内側の床面と略同一高さとする覆い板材を備えたことを特徴とする引き戸の支持構造。
【請求項２】
前記回転支持部材は、前記外部開口部の奥行き方向に設けた芯棒の外周部に回転可能に取り付けた回転コマからなり、
前記芯棒には、前記引き戸の枚数に合わせて、該回転コマが複数取り付けられていること特徴とする請求項１記載の引き戸の支持構造。
【請求項３】
前記下側支持枠の基底部には、水抜き孔が設けられていることを特徴とする請求項１または２記載の引き戸の支持構造。
【請求項４】
前記下側支持枠には、前記引き戸の室外側に網戸が取り付けられていることを特徴とする請求項１〜３のうちいずれか１項記載の引き戸の支持構造。
【請求項５】
前記下側支持枠の最も室外側には、上下方向にスライド可能なシャッターが取り付けられていることを特徴とする請求項１〜４のうちいずれか１項記載の引き戸の支持構造。
【請求項６】
前記下側支持枠の最も室内側には、ポリカネート製引き戸が取り付けられていることを特徴とする請求項１〜５のうちいずれか１項記載の引き戸の支持構造。
【発明の詳細な説明】
【技術分野】
【０００１】
本発明は、引き戸の支持構造に関し、特に床面と外部開口部との間に段差がないバリアフリー化を図った引き戸の支持構造に関する。
【背景技術】
【０００２】
近年、建造物のバリアフリー化が進み、床面と外部開口部との間に段差を設けないようにした引き戸の支持構造が普及してきた（例えば、特許文献１参照）。
【０００３】
特許文献１記載の引き戸の支持構造は、床面と略同一高さに若干凹状となって上面部材（戸車支持溝）を設け、引き戸の下面に取り付けた戸車を上面部材上に載せることにより、引き戸を移動させることができるようになっている。
【０００４】
このように、引き戸に取り付けられた戸車を下方から支持する上面部材は、ほぼ平坦となっているため、室内側の床面と外部開口部との間に段差がなくなり、バリアフリー化を図った引き戸の支持構造を実現している。
【０００５】
【特許文献２】特開２００３−１４８０５５号公報
【発明の開示】
【発明が解決しようとする課題】
【０００６】
上述したように、従来の引き戸の支持構造は、バリアフリー化を実現するため室内側の床面と外部開口部とが略同一高さの平面となって連続している。このため、風が吹くと、土、砂埃等が室内に入ってきてしまい、室内を頻繁に清掃しなければならないという問題があった。
【０００７】
また、戸車支持溝付近を水洗いしようとした場合には、洗浄水が室内に侵入し、床面が傷んでしまうおそれがあった。
【０００８】
本発明は、上述した問題点に鑑み提案されたもので、床面と外部開口部との間に段差がないバリアフリー化を実現しつつ、土、砂埃等が室内に侵入するおそれがなく、容易に水洗いが可能な引き戸の支持構造を提供することを目的とする。
【課題を解決するための手段】
【０００９】
本発明に係る引き戸の支持構造は、上述した目的を達成するため、建造物の外部開口部に取り付ける引き戸の支持構造であって、
上面が開放された凹状をなすとともに、上部開放面が室内側の床面よりも下方に位置する下側支持枠を設け、
該下側支持枠の内部には、引き戸を下側から支持するとともに、引き戸の移動に伴って回転する回転支持部材が、前記外部開口部の長さ方向に沿って複数配設され、
前記下側支持枠の上部開放面には、該上部開放面に着脱可能であるとともに、該上部開放面を塞いで前記室内側の床面と略同一高さとする覆い板材を備えたことを特徴とするものである。
【００１０】
このような構造からなる引き戸の支持構造では、回転支持部材により引き戸を下側から支持する。そして、引き戸を移動させる際に回転支持部材が回転し、引き戸を滑らかに移動させることができる。
【００１１】
また、通常の状態では覆い板材を取り外しておくため、外部開口部の室外側に凹状の下側支持枠が存在し、風が吹いたとしても、土、砂埃等が室内に侵入することがない。そして、車椅子等を使用して外部開口部から出入りする際には、下側支持枠の上部開放面に覆い板材を取り付けることにより、上部開放面が塞がれて室内側の床面と略同一高さとなり、バリアフリー化を実現することができる。
【００１２】
また、本発明に係る引き戸の支持構造は、前記構成に加えて、前記回転支持部材は、前記外部開口部の奥行き方向に設けた芯棒の外周部に回転可能に取り付けた回転コマからなり、
前記芯棒には、前記引き戸の枚数に合わせて、該回転コマが複数取り付けられていることを特徴とするものである。
【００１３】
このような構成からなる引き戸の支持構造では、複数枚の引き戸をそれぞれ回転コマにより下側から支持する。そして、各引き戸を移動させる際に各回転コマが回転し、各引き戸を滑らかに移動させることができる。
【００１４】
また、本発明に係る引き戸の支持構造は、前記構成に加えて、前記下側支持枠の基底部には、水抜き孔が設けられていることを特徴とするものである。
【００１５】
このような構成からなる引き戸の支持構造では、下側支持枠を水洗いする際に、水抜き孔から速やかに排水されるので、室内側に水が侵入するおそれがなく、下側支持枠内を常に清潔に保つことができる。また、覆い板材を取り外している際に、下側支持枠内に雨水が浸入したとしても、水抜き孔から速やかに排水することができ、下側支持枠の腐食等を未然に防止することができる。
【００１６】
また、本発明に係る引き戸の支持構造は、前記構成に加えて、前記下側支持枠には、前記引き戸の室外側に網戸が取り付けられていることを特徴とするものである。
【００１７】
このような構成からなる引き戸の支持構造では、網戸が取り付けられているため、網戸を閉めておけば室内に蚊、蠅等が侵入することがない。
【００１８】
また、本発明に係る引き戸の支持構造は、前記構成に加えて、前記下側支持枠の最も室外側には、上下方向にスライド可能なシャッターが取り付けられていることを特徴とするものである。
【００１９】
このような構成からなる引き戸の支持構造では、シャッターを締め切ることにより、台風が来襲した際等に引き戸を保護することができるとともに、防犯効果も高めることができる。
【００２０】
また、本発明に係る引き戸の支持構造は、前記構成に加えて、前記下側支持枠の最も室内側には、ポリカネート製引き戸が取り付けられていることを特徴とするものである。
【００２１】
このような構成からなる引き戸の支持構造では、最も室内側にポリカネート製引き戸を取り付けたため、室内と室外との断熱が行われるので、冷暖房効率を高めることができる。
【発明の効果】
【００２２】
本発明に係る引き戸の支持構造は、上面が開放された凹状をなすとともに、上部開放面が室内側の床面よりも下方に位置する下側支持枠により引き戸を下側から支持しているため、覆い板材を取り外して下側支持枠の上部開放面を開放した状態とすることにより、土、砂埃等が室内に侵入するおそれがなく、容易に水洗いを行うことができる。
【００２３】
また、覆い板材を取り付けて下側支持枠の上部開放面を塞ぐことにより、覆い板材と室内側の床面とが略同一高さとなり、容易にバリアフリー化を実現することができる。
【発明を実施するための最良の形態】
【００２４】
以下、図面を参照して、本発明に係る引き戸の支持構造の実施形態を説明する。
図１〜３は、本発明に係る引き戸の支持構造の実施形態を示すもので、図１は引き戸の支持構造を側面から見た状態の縦断面図、図２は引き戸の支持構造を正面から見た状態の縦断面図、図３は下側支持枠を側面から見た状態の拡大縦断面図である。
【００２５】
本発明の実施形態に係る引き戸の支持構造は、図１〜３に示すように、建造物の外部開口部およびこれに連なる室外側のベランダ等が、畳やフローリング床等の室内側の床面１０と略同一高さの平面となるようなバリアフリー化を実現するようになっている。
【００２６】
また、室内側と室外側との間には、上面が開放された凹状をなすとともに、上部開放面が室内側の床面１０よりも下方に位置する下側支持枠２０が設けられている。この下側支持枠２０内には、室内側から順に、ポリカネート製引き戸３０、複数枚のアルミ枠引き戸４０、網戸５０、およびシャッター６０が配設され、これらを下側から支持している。本実施形態において、室内側の床面１０から下側支持枠２０の基底部２１の底面までの高さは、約１５５ｍｍ程度となるように設定されている。
【００２７】
下側支持枠２０の基底部２１および室内側の側壁２２にはボルト取付凹部２９ａ，２９ｂが設けられており、ボルト取付凹部２９ａ、２９ｂには背面側（室内側）へ向かってボルト挿通孔２７ａ，２７ｂが設けられている。そして、このボルト挿通孔２７ａ，２７ｂにボルト７０ａ，７０ｂを挿通し、ボルト７０ａ，７０ｂの先端部を建造物構造体の外壁面１２０に螺着することにより、下側支持枠２０を建造物に取り付けることができる。
【００２８】
なお、図示しないが、ポリカネート製引き戸３０、アルミ枠引き戸４０、網戸５０、シャッター６０の上部は、支持枠、レール、吊り下げ部材等の周知の支持構造により支持されている。また、シャッター６０は、複数の横長板材を上下方向に連続させて取り付け、各連接部を屈曲可能としたもので、図示しないが、シャッター６０の上部は、周知の巻き取り構造により支持されている。
【００２９】
下側支持枠２０内の基底部２１近傍には、外部開口部の長さ方向に沿って、アルミ枠引き戸４０および網戸５０を下側から支持するとともに、アルミ枠引き戸４０および網戸５０の移動に伴って回転する回転支持部材８０が複数配設されている。この回転支持部材８０は、外部開口部の奥行き方向に設けた芯棒８１と、この芯棒８１の外周部に回転可能に取り付けた回転コマ８２からなる。
【００３０】
回転コマ８２は、ドーナッツ状の部材からなり、回転を円滑にするという点で、芯棒８１を挿通する中心孔に環状ベアリングを取り付けることが好ましい。この回転コマ８２は、アルミ枠引き戸４０の枚数に合わせて下側支持枠２０の奥行き方向に複数個取り付けられている。なお、隣り合う回転コマ８２の間隔内および下側支持枠２０の室内側の側壁２２とこれに隣接する回転コマ８２との間にはドーナッツ状のスペーサ８３が取り付けられている。また、回転コマ８２の材料は適宜選択することができ、例えばステンレス等の金属製あるいは合成樹脂製とすることができる。ここで、耐久性、耐錆性等の点ではステンレス製の戸車を用いることが好ましく、静音性等の点では合成樹脂製の戸車を用いることが好ましい。
【００３１】
下側支持枠２０には、室内側の側壁２２に、芯棒８１の先端部を取り付けるためのネジ孔２４が設けられており、室外側の側壁２３に、芯棒８１を挿通するための挿通孔２５が設けられている。また、芯棒８１には、両端部に雄ネジ部が設けられている。
【００３２】
下側支持枠２０に回転コマ８２を取り付けるには、下側支持枠２０の挿通孔２５から下側支持枠２０内に芯棒８１を挿通し、芯棒８１に回転コマ８２およびスペーサ８３を取り付け、芯棒８１の先端部に設けた雄ネジ部を下側支持枠２０のネジ孔２４に螺着し、下側支持枠２０の挿通孔２５から突出した芯棒８１の先端部に設けた雄ネジ部にワッシャー８４を介してナット８５を取り付ける。なお、ナット８５は、見栄えを良くするとともに、芯棒８１の基端部を保護するという点で、例えば丸頭ナットを用いることが好ましい。
【００３３】
また、下側支持枠２０内には、ポリカネート製引き戸３０を下側から支持するための支持レール９０が設けられている。なお、図３に示す支持レール９０は、上面が平坦状となっているが、ポリカネート製引き戸３０を確実に支持するという点で、支持レール９０の上面の室外側から上方に向かって支持壁を立設することが好ましい。
【００３４】
また、下側支持枠２０の基底部２１の室外側には、基底部２１を貫通する水抜き孔２６が設けられており、水抜き孔２６の下部には水抜きパイプ１１０が連通して取り付けられている。なお、基底部２１は、水はけを良好にするという点で、水抜き孔２６に向かって下り傾斜させることが好ましい。
【００３５】
さらに、下側支持枠２０の室内側および室外側の上面には、長さ方向に沿って、覆い板材１００を取り付けるための凹状の取付溝２８ａ，２８ｂが設けられている。
【００３６】
下側支持枠２０の上部開放面を塞ぐ覆い板材１００は、その上面が室内側の床面１０および室外側のベランダ等と略同一の高さとなるように設定されている。
【００３７】
また覆い板材１００の下面には、下側支持枠２０に設けた取付溝２８ａ，２８ｂに嵌り込む凸部１０１ａ，１０１ｂが設けられている。さらに、覆い板材１００の室外側には、下側支持枠２０の室外側の側壁２３に係止するためのリブ状の係止部１０２が設けられている。なお、覆い板材１００は、取り扱いを容易にするという点で、長さ方向に沿って複数に分割されていることが好ましい。
【００３８】
本実施形態の引き戸の支持構造では、通常の使用状態において、覆い板材１００を取り外しておく。したがって、通常の使用状態では下側支持枠２０の上部が開放されており、風が吹いたとしても、土、砂埃等が室内に侵入することがない。この状態では、ポリカネート製引き戸３０、アルミ枠引き戸４０、網戸５０、およびシャッター６０を開閉することができる。
【００３９】
そして、車椅子を使用して室外側に設けたベランダへ出入りする等、バリアフリー化を実現する必要がある場合には、ポリカネート製引き戸３０、アルミ枠引き戸４０、網戸５０、およびシャッター６０を開放し、覆い板材１００を下側支持枠２０の上部開放面に取り付けて、下側支持枠２０の上部開放面を塞ぐことにより、室内側の床面１０、覆い板材１００、およびベランダが略同一高さとなり、バリアフリー化を実現することができる。
【００４０】
アルミ枠引き戸４０に取り付けられるガラス板は、強度を高めるとともに防犯性を高めるという点で、補強ガラス板を用いることが好ましい。この補強ガラス板は、２枚のガラス板４１の間に合成樹脂製あるいはポリカネート製の補強板材４２を挟み込んだ構造となっている。また、アルミ枠引き戸４０は、開閉を容易にするという点で、その下面にフッ素樹脂フィルム等の滑り部材４３を取り付けることが好ましい。
【００４１】
なお、本実施形態では、アルミ枠引き戸４０を２枚としているが、アルミ枠引き戸４０の枚数は、外部開口部の大きさに合わせて適宜変更することができ、例えば、３枚、４枚、あるいは５枚以としてもよい。また、長さ方向に配設された同一列の回転コマ８２上に、複数枚のアルミ枠引き戸４０を載置してもよい。
【００４２】
ポリカネート製引き戸３０は、室内と室外との断熱性を高めるためのもので、アルミ枠引き戸４０の枚数に合わせて取り付けられており、外部開口部の一端側に設けた戸袋等に収納されるようになっている。このポリカネート製引き戸３０を閉め切ることにより、室内と室外の断熱性が高まり、結露がなくなるとともに、冷暖房等の光熱費を節減することができる。
【図面の簡単な説明】
【００４３】
【図１】本発明の実施形態に係る引き戸の支持構造を側面から見た状態の縦断面図。
【００４４】
【図２】本発明の実施形態に係る引き戸の支持構造を正面から見た状態の縦断面図。
【００４５】
【図３】本発明の実施形態に係る下側支持枠を側面から見た状態の拡大縦断面図。
【符号の説明】
【００４６】
１０  床面
２０  下側支持枠
２１  基底部
２２  室内側の側壁
２３  室外側の側壁
２４  ネジ孔
２５  挿通孔
２６  水抜き孔
２７ａ，２７ｂ  ボルト挿通孔
２８ａ，２８ｂ  取付溝
２９ａ，２９ｂ  ボルト取付凹部
３０  ポリカネート製引き戸
４０  アルミ枠引き戸
４１  ガラス板
４２  補強板材
４３  滑り部材
５０  網戸
６０  シャッター
７０ａ，７０ｂ  下側支持枠取付用ボルト
８０  回転支持部材
８１  芯棒
８２  回転コマ
８３  スペーサ
８４  ワッシャー
８５  ナット
９０  支持レール
１００  覆い板材
１０１ａ，１０１ｂ  凸部
１０２  係止部
１１０  水抜きパイプ
１２０  外壁面
【図１】
2006002367.tif 000003
【図２】
2006002367.tif 000004
【図３】
2006002367.tif 000005